(57)【特許請求の範囲】
【請求項１】
各ゲートに対応して設けられ、車両に設けられた無線タグとの通信により当該無線タグの第一の識別情報を取得する識別情報取得部と、
前記無線タグとは別に設けられ、前記第一の識別情報に対応した残高を記憶する第一の記憶部と、
前記第一の記憶部を参照することにより前記識別情報取得部で取得された前記第一の識別情報に対応して得られた前記残高と、第一の閾値と、を比較して、前記残高が前記第一の閾値と同じかあるいはより少ない前記第一の識別情報を特定する第一の識別情報特定部と、
各ゲートに対応して設けられ、前記第一の識別情報特定部で特定された前記第一の識別情報を記憶する第二の記憶部と、
各ゲートに対応して設けられ、前記識別情報取得部で取得された前記第一の識別情報が、前記第二の記憶部に記憶されていた場合に、所定の処理を実行する処理実行部と、
各ゲートの第二の識別情報に対応して前記第一の識別情報の送信先となる他のゲートの前記第二の識別情報を記憶する第三の記憶部と、
前記第一の識別情報特定部で特定された前記第一の識別情報が取得されたゲートの前記第二の識別情報に対応付けて前記第三の記憶部に記憶された前記第二の識別情報の他のゲートに、当該特定された前記第一の識別情報を送信するよう制御する第一の送信制御部と、
を備え、
前記第三の記憶部は、前記第一の識別情報が取得された出口のゲートの前記第二の識別情報に対応付けて当該第一の識別情報の送信先となる入口のゲートの前記第二の識別情報を記憶する、料金収受システム。
【請求項２】
前記第三の記憶部は、前記出口のゲートの前記第二の識別情報に対応付けて当該出口のゲートからの距離が所定距離以内にある前記入口のゲートの前記第二の識別情報を記憶する、請求項１に記載の料金収受システム。
【請求項３】
前記第三の記憶部は、前記第一の識別情報が取得された入口のゲートの前記第二の識別情報に対応付けて当該第一の識別情報の送信先となる出口のゲートの前記第二の識別情報を記憶する、請求項１に記載の料金収受システム。
【請求項４】
各ゲートの第二の識別情報に対応した通行料金を記憶する第四の記憶部と、
前記第四の記憶部を参照して前記識別情報取得部で取得された前記第一の識別情報に対応した一つまたは複数の前記第二の識別情報に基づいて通行料金を取得する通行料金取得部と、
前記第一の記憶部に記憶された残高から前記通行料金取得部で取得された通行料金を減算して前記第一の記憶部に記憶された前記残高を更新する残高更新部と、
をさらに備え、
前記第一の識別情報特定部は、前記残高更新部で更新され前記第一の記憶部に記憶された前記残高に基づいて前記第一の識別情報を特定する、請求項１〜３のうちいずれか一つに記載の料金収受システム。
【請求項５】
各ゲートに対応して設けられ、車両に設けられた無線タグとの通信により当該無線タグの第一の識別情報を取得する識別情報取得部と、
前記無線タグとは別に設けられ、前記第一の識別情報に対応した残高を記憶する第一の記憶部と、
前記第一の記憶部を参照することにより前記識別情報取得部で取得された前記第一の識別情報に対応して得られた前記残高と、第一の閾値と、を比較して、前記残高が前記第一の閾値と同じかあるいはより少ない前記第一の識別情報を特定する第一の識別情報特定部と、
各ゲートに対応して設けられ、前記第一の識別情報特定部で特定された前記第一の識別情報を記憶する第二の記憶部と、
各ゲートに対応して設けられ、前記識別情報取得部で取得された前記第一の識別情報が、前記第二の記憶部に記憶されていた場合に、所定の処理を実行する処理実行部と、
各ゲートの第二の識別情報に対応した通行料金を記憶する第四の記憶部と、
前記第四の記憶部を参照して、前記第一の識別情報が取得された入口のゲートに対応した出口のゲート毎の予想残高を算出する予想残高算出部と、
前記予想残高算出部で算出された予想残高と第二の閾値とを比較して、前記予想残高が前記第二の閾値と同じかより少ない出口のゲートの前記第二の識別情報を特定する第二の識別情報特定部と、
前記第一の識別情報特定部で特定された前記第一の識別情報を、前記第二の識別情報特定部で特定された前記第二の識別情報のゲートに送信するよう制御する第二の送信制御部と、
を備えた、料金収受システム。
【請求項６】
料金収受システムの制御装置であって、
無線タグの第一の識別情報に対応した残高を記憶する第一の記憶部と、
車両に設けられた無線タグとの通信によって、ゲートに設けられた識別情報取得部で取得され当該ゲートに設けられた第三の送信制御部で送信された前記第一の識別情報を受信するよう制御する受信制御部と、
前記第一の記憶部を参照することにより前記識別情報取得部で取得された前記第一の識別情報に対応して得られた前記残高と、第一の閾値と、を比較して、前記残高が前記第一の閾値と同じかあるいはより少ない前記第一の識別情報を特定する第一の識別情報特定部と、
前記第一の識別情報特定部で特定された前記第一の識別情報を送信するよう制御する第一の送信制御部と、
各ゲートの第二の識別情報に対応して前記第一の識別情報の送信先となる他のゲートの前記第二の識別情報を記憶する第三の記憶部と、
前記第一の識別情報特定部で特定された前記第一の識別情報が取得されたゲートの前記第二の識別情報に対応付けて前記第三の記憶部に記憶された前記第二の識別情報の他のゲートに、当該特定された前記第一の識別情報を送信するよう制御する第一の送信制御部と、
を備え、
前記第三の記憶部は、前記第一の識別情報が取得された出口のゲートの前記第二の識別情報に対応付けて当該第一の識別情報の送信先となる入口のゲートの前記第二の識別情報を記憶する、制御装置。
【請求項７】
前記第三の記憶部は、前記出口のゲートの前記第二の識別情報に対応付けて当該出口のゲートからの距離が所定距離以内にある前記入口のゲートの前記第二の識別情報を記憶する、請求項６に記載の制御装置。
【請求項８】
前記第三の記憶部は、前記第一の識別情報が取得された入口のゲートの前記第二の識別情報に対応付けて当該第一の識別情報の送信先となる出口のゲートの前記第二の識別情報を記憶する、請求項６に記載の制御装置。
【請求項９】
各ゲートの第二の識別情報に対応した通行料金を記憶する第四の記憶部と、
前記第四の記憶部を参照して前記識別情報取得部で取得された前記第一の識別情報に対応した一つまたは複数の前記第二の識別情報に基づいて通行料金を取得する通行料金取得部と、
前記第一の記憶部に記憶された残高から前記通行料金取得部で取得された通行料金を減算して前記第一の記憶部に記憶された前記残高を更新する残高更新部と、
をさらに備え、
前記第一の識別情報特定部は、前記残高更新部で更新され前記第一の記憶部に記憶された前記残高に基づいて前記第一の識別情報を特定する、請求項６〜８のうちいずれか一つに記載の制御装置。
【請求項１０】
料金収受システムの制御装置であって、
無線タグの第一の識別情報に対応した残高を記憶する第一の記憶部と、
車両に設けられた無線タグとの通信によって、ゲートに設けられた識別情報取得部で取得され当該ゲートに設けられた第三の送信制御部で送信された前記第一の識別情報を受信するよう制御する受信制御部と、
前記第一の記憶部を参照することにより前記識別情報取得部で取得された前記第一の識別情報に対応して得られた前記残高と、第一の閾値と、を比較して、前記残高が前記第一の閾値と同じかあるいはより少ない前記第一の識別情報を特定する第一の識別情報特定部と、
前記第一の識別情報特定部で特定された前記第一の識別情報を送信するよう制御する第一の送信制御部と、
各ゲートの第二の識別情報に対応した通行料金を記憶する第四の記憶部と、
前記第四の記憶部を参照して、前記第一の識別情報が取得された入口のゲートに対応した出口のゲート毎の予想残高を算出する予想残高算出部と、
前記予想残高算出部で算出された予想残高と第二の閾値とを比較して、前記予想残高が前記第二の閾値と同じかより少ない出口のゲートの前記第二の識別情報を特定する第二の識別情報特定部と、
前記第一の識別情報特定部で特定された前記第一の識別情報を、前記第二の識別情報特定部で特定された前記第二の識別情報のゲートに送信するよう制御する第二の送信制御部と、
を備えた、制御装置。
【請求項１１】
各ゲートで、車両に設けられた無線タグとの通信により当該無線タグの第一の識別情報を取得し、
前記第一の識別情報に対応した残高を、前記無線タグとは別の第一の記憶部に記憶し、
前記第一の記憶部を参照することにより、取得された前記第一の識別情報に対応して得られた前記残高と、第一の閾値と、を比較して、前記残高が前記第一の閾値と同じかあるいはより少ない前記第一の識別情報を特定し、
各ゲートで、特定された前記第一の識別情報を第二の記憶部に記憶し、
各ゲートで、取得された前記第一の識別情報が、前記第二の記憶部に記憶されていた場合に、所定の処理を実行し、
各ゲートの第二の識別情報に対応付けて、前記第一の識別情報の送信先となる他のゲートの前記第二の識別情報を、第三の記憶部に記憶し、
特定された前記第一の識別情報がゲートで取得された場合に、当該ゲートの前記第二の識別情報に対応付けて前記第三の記憶部に記憶された前記第二の識別情報の他のゲートに、当該特定された前記第一の識別情報を送信し、
前記第一の識別情報が取得された出口のゲートの前記第二の識別情報に対応付けて、当該第一の識別情報の送信先となる入口のゲートの前記第二の識別情報を、前記第三の記憶部に記憶する、料金収受方法。
【請求項１２】
前記出口のゲートの前記第二の識別情報に対応付けて、当該出口のゲートからの距離が所定距離以内にある前記入口のゲートの前記第二の識別情報を、前記第三の記憶部に記憶する、請求項１１に記載の料金収受方法。
【請求項１３】
前記第一の識別情報が取得された入口のゲートの前記第二の識別情報に対応付けて、当該第一の識別情報の送信先となる出口のゲートの前記第二の識別情報を、前記第三の記憶部に記憶する、請求項１１に記載の料金収受方法。
【請求項１４】
各ゲートの第二の識別情報に対応した通行料金を第四の記憶部に記憶し、
前記第四の記憶部を参照して、取得された前記第一の識別情報に対応した一つまたは複数の前記第二の識別情報に基づいて通行料金を取得し、
前記第一の記憶部に記憶された前記残高から、取得された前記通行料金を減算して、前記第一の記憶部に記憶された前記残高を更新し、
更新された前記残高に基づいて前記第一の識別情報を特定する、請求項１１〜１３のうちいずれか一つに記載の料金収受方法。
【請求項１５】
各ゲートで、車両に設けられた無線タグとの通信により当該無線タグの第一の識別情報を取得し、
前記第一の識別情報に対応した残高を、前記無線タグとは別の第一の記憶部に記憶し、
前記第一の記憶部を参照することにより、取得された前記第一の識別情報に対応して得られた前記残高と、第一の閾値と、を比較して、前記残高が前記第一の閾値と同じかあるいはより少ない前記第一の識別情報を特定し、
各ゲートで、特定された前記第一の識別情報を第二の記憶部に記憶し、
各ゲートで、取得された前記第一の識別情報が、前記第二の記憶部に記憶されていた場合に、所定の処理を実行し、
各ゲートの第二の識別情報に対応した通行料金を第四の記憶部に記憶し、
前記第四の記憶部を参照して、前記第一の識別情報が取得された入口のゲートに対応した出口のゲート毎の予想残高を算出し、
算出された前記予想残高と第二の閾値とを比較して、前記予想残高が前記第二の閾値と同じかより少ない出口のゲートの前記第二の識別情報を特定し、
特定された前記第一の識別情報を、特定された前記第二の識別情報のゲートに送信するよう制御する、料金収受方法。
【発明の詳細な説明】
【技術分野】
【０００１】
本発明の実施形態は、料金収受システムおよび装置に関する。
【背景技術】
【０００２】
従来の有料道路向けの料金収受システム（例えば、ＥＴＣ（electronic  toll  collection、登録商標）システム）では、車両に搭載したＤＳＲＣ（dedicated  short  range  communication）車載器にＩＣ（integrated  circuit）カードを挿入した２ピース方式で運用されている。ＩＣカードには、利用者の利用履歴（カード識別ＩＤ（identification）、入口情報、出口情報、通過日時、通行料金等）が書き込まれることから、ゲート（出口）通過時に利用履歴から通行したゲート（入口〜出口）間の料金を特定できる。また、料金収受システムの情報を管理している中央装置へ、通行明細データを送信し、中央装置でクレジットカード決済による料金収受システムの利用者へ、利用料金の請求を行うことができる。
しかしながら、上記のように、２ピース方式により運用する場合、２ピースの整備（ＤＳＲＣ車載器とＤＳＲＣ路側機器）、クレジットカード決済を可能とするシステム構築など、対外システムとのインタフェースを構築する必要が生じ、比較的規模が大きく高価なシステム構成となってしまう。
上記の２ピース構成よりも安価で整備できる１ピース方式のＲＦＩＤ（radio  frequency  ＩＤ）タグ（ＩＣカード無し、カード識別ＩＤ読み込み専用）を採用し、プリペイド方式により運用をすれば、プリペイド残高管理を利用者が自己管理することで対外システムとのインタフェースを確立することなく小規模なシステムを構築できる。
【先行技術文献】
【特許文献】
【０００３】
【特許文献１】特開２０１１−１２３６７４号公報
【発明の概要】
【発明が解決しようとする課題】
【０００４】
しかしながら、このような１ピース方式の場合、出口通過時にはプリペイド残高より利用料金を引き去る必要があるが、利用区間やプリペイド残高をＲＦＩＤ車載器に書き込めないため、随時、出車載装置側と中央装置側の情報の同期をとる必要があり、通行明細データを中央装置経由で対象となる料金所全てに利用明細を配信する。そのため、料金所数、利用件数に比例してネットワークの負荷が増大するというおそれがあった。
実施形態が解決できる課題の一つは、簡易的なシステムでネットワーク負荷を軽減することが可能な料金収受システムおよび装置を提供することである。
【課題を解決するための手段】
【０００５】
実施形態にかかる料金収受システムは、各ゲートに対応して設けられ、車両に設けられた無線タグとの通信により当該無線タグの第一の識別情報を取得する識別情報取得部と、無線タグとは別に設けられ、第一の識別情報に対応した残高を記憶する第一の記憶部と、第一の記憶部を参照することにより識別情報取得部で取得された第一の識別情報に対応して得られた残高と、第一の閾値と、を比較して、残高が第一の閾値と同じかあるいはより少ない第一の識別情報を特定する第一の識別情報特定部と、各ゲートに対応して設けられ、第一の識別情報特定部で特定された第一の識別情報を記憶する第二の記憶部と、各ゲートに対応して設けられ、識別情報取得部で取得された第一の識別情報が、第二の記憶部に記憶されていた場合に、所定の処理を実行する処理実行部と、各ゲートの第二の識別情報に対応して第一の識別情報の送信先となる他のゲートの第二の識別情報を記憶する第三の記憶部と、第一の識別情報特定部で特定された第一の識別情報が取得されたゲートの第二の識別情報に対応付けて第三の記憶部に記憶された第二の識別情報の他のゲートに、当該特定された第一の識別情報を送信するよう制御する第一の送信制御部と、を備え、第三の記憶部は、第一の識別情報が取得された出口のゲートの第二の識別情報に対応付けて当該第一の識別情報の送信先となる入口のゲートの第二の識別情報を記憶する。
【図面の簡単な説明】
【０００６】
【図１】図１は、実施形態にかかる料金収受システムの概略構成の一例が示された図である。
【図２】図２は、実施形態にかかる料金収受システムの中央装置の概略構成の一例が示された図である。
【図３】図３は、実施形態にかかる料金収受システムのゲート装置の概略構成の一例が示された図である。
【図４】図４は、実施形態にかかる料金収受システムのゲート装置での処理の一例が示されたフローチャートである。
【図５】図５は、実施形態にかかる料金収受システムの中央装置での処理の一例が示されたフローチャートである。
【発明を実施するための形態】
【０００７】
以下、本発明の例示的な実施形態が開示される。以下に示される実施形態の構成や制御、ならびに当該構成や制御によってもたらされる作用および結果（効果）は、あくまで一例である。本発明は、以下の実施形態に開示される構成や制御以外によっても実現可能であるとともに、基本的な構成や制御によって得られる種々の効果（派生的な効果も含む）を得ることが可能である。
【０００８】
本実施形態では、料金収受システム１は、有料道路に設けられた一つ以上のゲート２（入口ゲート２ａや出口ゲート２ｂ等）を通過した車両３の通行料金を計算するとともに、当該通行料金の徴収の可否の状況に応じて車両３のゲート２の通過の許否（許容あるいは拒否）を制御することができる。料金収受システム１は、複数のゲート２のそれぞれに設けられた複数のゲート装置７（第一の装置）と、中央装置８（第二の装置）と、を備える。複数のゲート装置７と中央装置８とは、通信可能に接続され、互いに情報（を示すデータ）の送受信が可能である。
【０００９】
ここで、図１に例示されるような、中央装置８とゲート装置７とが分離されるとともに、入口ゲート２ａから出口ゲート２ｂまでの車両３の通行料金を計算して所定の処理を実行する料金収受システム１の基本的な構成ならびに動作について説明する。
【００１０】
車両３には、無線タグ４（ＲＦＩＤタグ、通信装置、送受信装置、応答装置、トランスポンダ）が装着される。無線タグ４は、例えば、プリペイドカードとして取り扱われるカードに組み込まれうる。無線タグ４は、当該無線タグ４のＩＤ（第一の識別情報、以下タグＩＤと記される）を記憶する書き換え不能な不揮発性の記憶部（図示されず）を有する。本実施形態では、車両３には、車載器は搭載されない。
【００１１】
ゲート２には、送受信装置５およびゲート装置７が設けられる。送受信装置５は車載器を介さずに無線タグ４との間で無線通信を実行することができる。送受信装置５は、無線タグ４からタグＩＤを取得する。
【００１２】
ゲート装置７は、送受信装置５からタグＩＤを取得する。ゲート装置７は、取得したタグＩＤを、ゲートＩＤ（第二の識別情報、ゲート２のＩＤまたはゲート装置７のＩＤ）と対応付けて、中央装置８に送信する。なお、図１中、タグＩＤは「ＴＩＤ」、ゲートＩＤは「ＧＩＤ」と記されている。
【００１３】
中央装置８は、通行料金記憶部８５（第四の記憶部、図２参照）を備える。通行料金記憶部８５は、入口ゲート２ａのゲートＩＤおよび出口ゲート２ｂのゲートＩＤに対応した通行料金を記憶する。
【００１４】
また、中央装置８は、タグ情報記憶部８３（第一の記憶部、図２参照）を備える。タグ情報記憶部８３は、タグＩＤ（カードＩＤ、アカウントＩＤ）に対応する金額あるいはポイントの残高（プリペイド残高等の残高を示すデータ）を記憶する。
【００１５】
中央装置８は、車両３が出口ゲート２ｂを通過した後、通行料金記憶部８５を参照して、車両３のタグＩＤに対応付けられた、入口ゲート２ａのゲートＩＤならびに出口ゲート２ｂのゲートＩＤに基づいて、車両３の通行料金（金額、ポイント数）を計算する。中央装置８は、タグＩＤに対応する残高から当該通行料金を減じて残高を更新する。中央装置８は、当該更新された残高を閾値（第一の閾値）と比較する。そして、中央装置８は、更新された残高が閾値と同じかあるいはより少なかった場合に、当該車両３が次に通過するゲート２のゲート装置７に向けて、タグＩＤとともに、ゲート２で所定の処理（例えば、警報の出力や、遮断機６によるゲート２の閉鎖）を実行するための処理情報を送信する。なお、図１には、今回の通行時の入口ゲート２ａおよび出口ゲート２ｂの双方が、車両３が次に有料道路を利用する際の入口のゲート２となり得る場合が例示されている。すなわち、図１には、タグＩＤ（ＴＩＤ）ならびに処理情報が、今回の通行時の入口ゲート２ａおよび出口ゲート２ｂの双方のゲート装置７に送信される例が示されている。
【００１６】
ゲート装置７は、処理情報記憶部７４（第二の記憶部、図３参照）を備える。処理情報記憶部７４は、中央装置８から受信したタグＩＤと処理情報とを記憶する。そして、ゲート装置７は、ゲート２に到来した車両３のタグＩＤと、処理情報記憶部７４に記憶されたタグＩＤとが一致した場合、処理情報に示された処理を実行する。当該処理は、例えば、遮断機６のアーム６ａを閉位置に移動させる処理や、出力部７９としての表示出力部から警告表示を出力する処理、出力部７９としての音声出力部から警告音を出力する処理等がある。
【００１７】
このように、本実施形態にかかる料金収受システム１では、車載器が用いられない。よって、本実施形態によれば、車載器が不要となる分、車両３に搭載される装置がより簡素に構成されやすい。また、車載器の登録処理等が不要になる分、料金収受システム１がより容易に運用されやすい。
【００１８】
また、例示されたように、本実施形態にかかる料金収受システム１では、無線タグ４は、例えば、有料道路における車両３の通行履歴や、タグＩＤに応じた残高等、通行料金の計算やゲート２の通過の許否判断を直ちに行うことを可能とする情報を記憶しない。このため、車両３の通行料金の計算ならびに車両３のゲート２の通行の許否判断について、例えば、ゲート装置７と中央装置８との間で通信が必要になる。よって、車両３がゲート２を通過する際に料金収受システム１が通行料金の計算ならびに通行の許否判断を行うと、計算や許否判断に時間がかかり、車両３がゲート２をスムーズに通過し難くなる虞がある。そこで、本実施形態の料金収受システム１は、残高等の状況に拘わらず、まずは車両３のゲート２の通過を許容し、次のゲート２の通過の際に、上記所定の処理を実行する。
【００１９】
また、ゲート装置７と中央装置８との間での通信により、ネットワーク負荷が増大する虞がある。この点につき、本実施形態にかかる料金収受システム１では、車両３の次のゲート２の通過の際に上記所定の処理を実行すればよいので、ゲート装置７と中央装置８との間のＩＤや情報（データ）の送信を直ちに行うことを要しない。したがって、ゲート装置７と中央装置８との間の通信に伴うネットワーク負荷の増大が、抑制されやすい。なお、ここでは、入口ゲート２ａおよび出口ゲート２ｂを通過した後に、料金が計算され、残高による判定がなされ、次の入口ゲート２ａで処理が実行される場合が例示されたが、本実施形態にかかる料金収受システム１では、入口ゲート２ａを通過した後に残高による判定を行い、出口ゲート２ｂで処理を実行することもできる。また、本実施形態にかかる料金収受システム１は、入口と出口との間にゲート２が設けられたシステムや、ゲート２が一箇所だけ設けられたシステムにも適用することができる。以下、実施形態にかかる料金収受システム１のより詳細な構成および制御について説明する。
【００２０】
図２には、上述した処理を実行する料金収受システム１の中央装置８の概略構成の一例が示されている。中央装置８は、コンピュータとして構成され、一般的なコンピュータが備える構成要素、すなわち、制御部８１や、通信部８２の他、コントローラ、記憶部、入力部、出力部等（図示されず）を備えている。
【００２１】
制御部８１（例えば、ＣＰＵ（central  processing  unit））は、ロードされたプログラム（例えば、ＯＳ（operating  system）や、アプリケーション等）にしたがって、種々の演算処理を実行することができる。本実施形態では、一例として、プログラムにしたがったＣＰＵ等の処理によって、図２に示される制御部８１の各部（受信制御部８１ａや、送信制御部８１ｂ、記憶制御部８１ｃ、第一の判断部８１ｄ、タグＩＤ特定部８１ｅ、通行料金取得部８１ｆ、残高更新部８１ｇ、予想残高算出部８１ｈ、ゲートＩＤ選択部８１ｉ、処理情報取得部８１ｊ等）が機能する。すなわち、プログラムには、受信制御部８１ａや、送信制御部８１ｂ、記憶制御部８１ｃ、第一の判断部８１ｄ、タグＩＤ特定部８１ｅ、通行料金取得部８１ｆ、残高更新部８１ｇ、予想残高算出部８１ｈ、ゲートＩＤ選択部８１ｉ、処理情報取得部８１ｊ等として機能するモジュールが含まれている。なお、制御部８１の各部の動作（演算処理）については後述する。
【００２２】
中央装置８のプログラムは、それぞれインストール可能な形式または実行可能な形式のファイルでＣＤ−ＲＯＭ（compact  disc  ＲＯＭ）や、ＦＤ（flexible  disk）、ＣＤ−Ｒ（ＣＤ  recordable）、ＤＶＤ（digital  versatile  disk）等の、コンピュータで読み取り可能な記録媒体に記録されて提供されうる。また、プログラムは、通信ネットワークに接続されたコンピュータの記憶部に記憶し、ネットワーク経由でダウンロードすることによって導入されうる。また、プログラムは、ＲＯＭ等に予め組み込まれてもよい。
【００２３】
記憶部（図示されず）は、制御部８１の演算で用いられる各種データを記憶する。記憶部は、例えば、ＲＡＭ（random  access  memory）や、ＲＯＭ（read  only  memory）、ＨＤＤ（hard  disk  drive）、ＳＳＤ（solid  state  drive）等である。また、通信部８２（例えば、インタフェース装置）は、当該中央装置８以外の装置（例えば、ゲート装置７や他の中央装置８等）との間で、有線または無線によるデータの授受（通信）を実行する。
【００２４】
また、中央装置８は、不揮発性の書き換え可能な情報記憶部（例えば、ＨＤＤや、ＳＳＤ、サーバの記憶装置等）として、タグ情報記憶部８３や、送信先記憶部８４、通行料金記憶部８５、送信情報記憶部８６、通行中タグＩＤ記憶部８７等を備えている。タグ情報記憶部８３や、送信先記憶部８４、通行料金記憶部８５、送信情報記憶部８６、通行中タグＩＤ記憶部８７、処理対象タグ情報記憶部８８等は、互いに別の装置であってもよいし、同じ装置（別の記憶領域）であってもよい。
【００２５】
タグ情報記憶部８３は、無線タグ４に関連した情報を記憶する。無線タグ４に関連した情報には、例えば、タグＩＤに対応付けられた（タグＩＤ毎の）、残高（金額またはポイント数等の残高データ）や、使用期限（有効期間）、決済履歴、通行履歴、使用者の属性情報等が、含まれうる。タグ情報記憶部８３は、第一の記憶部の一例である。
【００２６】
送信先記憶部８４は、中央装置８からゲート装置７へ送信する情報の送信先（送信の目的地、送信相手）であるゲートＩＤを記憶する。送信先記憶部８４には、例えば、出口のゲート２のゲートＩＤに対応した送信先としての入口のゲート２のゲートＩＤが記憶されるとともに、入口のゲート２のゲートＩＤに対応した送信先としての出口のゲート２のゲートＩＤが記憶される。出口のゲート２のゲートＩＤに対応した入口のゲート２のゲートＩＤは、車両３が出口のゲート２を通過した後、次に到来する入口のゲート２のゲートＩＤを示す。この場合、一例としては、出口のゲート２から所定の距離（例えば、１００ｋｍ）以内に存在する入口のゲート２のゲートＩＤが記憶される。また、入口のゲート２のゲートＩＤに対応した送信先としての出口のゲート２のゲートＩＤは、車両３が入口のゲート２を通過した後、通行料金の計算が可能な範囲で（すなわち有料道路を出ずに）到達可能な出口のゲート２のゲートＩＤを示す。なお、ゲートＩＤは、ゲート２毎に設定されてもよいし、ゲート装置７毎に設定されてもよい。送信先記憶部８４は、第三の記憶部の一例である。
【００２７】
通行料金記憶部８５は、入口のゲートＩＤおよび出口のゲートＩＤに対応した通行料金を記憶する。また、例えば、タグＩＤが車種毎に設定されている場合には、通行料金は、さらに車種別に記憶される。なお、タグ情報記憶部８３、送信先記憶部８４、または通行料金記憶部８５は、中央装置８とは別に設けられ、当該中央装置８（の制御部８１）からのリクエストに応じた情報を提供するサーバの記憶部であることができる。通行料金記憶部８５は、第四の記憶部の一例である。
【００２８】
送信情報記憶部８６は、中央装置８からゲート装置７（情報の送信先）に送信する情報を、ゲートＩＤと対応付けて記憶する（一時的に蓄積する）。送信先に送信される情報は、例えば、タグＩＤと、ゲート装置７の処理実行部７１ｆ（例えば、アクチュエータ７８や、出力部７９等、図３参照）で実行される処理を示す情報（処理情報）と、を含む。送信制御部８１ｂは、所定のタイミングで（例えば、定期的に）、送信情報記憶部８６に記憶された情報を、対応して記憶されたゲートＩＤのゲート装置７（ゲート２）に向けて送信する。送信された情報は、送信情報記憶部８６から消去されうる。
【００２９】
通行中タグＩＤ記憶部８７は、入口のゲート２を通過した車両３のタグＩＤを記憶する。
【００３０】
処理対象タグ情報記憶部８８（情報記憶部）は、ゲート装置７での処理対象となる車両３のタグＩＤや、当該車両３に対してゲート装置７で実行される処理を示す情報（処理情報）、処理の実行状況（未処理、実行済み等のステータス）を示す情報等を、対応付けて記憶する。この処理対象タグ情報記憶部８８に記憶される情報（リスト、処理対象タグリスト）は、制御部８１や、通信部８２、ゲート装置７等の動作により、所定のタイミングで更新されうる。更新タイミングは、例えば、一定間隔や、予め設定されたタイミング、ネットワークの負荷が小さい時間帯で予め設定されたタイミング、処理の実行が決定されたタグＩＤが生じたタイミング、処理の実行が完了したタグＩＤが生じたタイミング等、である。中央装置８とゲート装置７とで、処理対象タグ情報記憶部８８に記憶される情報は、少なくとも部分的に（各ゲート装置７に関する部分については）、共有化（同期）が図られる。
【００３１】
図３には、料金収受システム１のゲート装置７の概略構成の一例が示されている。ゲート装置７は、コンピュータとして構成され、一般的なコンピュータが備える構成要素、すなわち、制御部７１や、通信部７３、コントローラ７６，７７の他、記憶部、入力部、出力部等（図示されず）を備えている。
【００３２】
制御部７１（例えば、ＣＰＵ）は、ロードされたプログラム（例えば、ＯＳ）や、アプリケーション等）にしたがって、種々の演算処理を実行することができる。本実施形態では、一例として、プログラムにしたがったＣＰＵ等の処理によって、種々の演算処理を実行することができる。本実施形態では、一例として、プログラムにしたがったＣＰＵ等の処理によって、図３に示される制御部７１の各部（受信制御部７１ａや、送信制御部７１ｂ、記憶制御部７１ｃ、タグＩＤ取得部７１ｄ、第二の判断部７１ｅ、処理実行部７１ｆ等）が機能する。すなわち、プログラムには、受信制御部７１ａや、送信制御部７１ｂ、記憶制御部７１ｃ、タグＩＤ取得部７１ｄ、第二の判断部７１ｅ、処理実行部７１ｆ等として機能するモジュールが含まれている。なお、制御部７１の各部の動作（演算処理）については後述する。
【００３３】
ゲート装置７のプログラムは、それぞれインストール可能な形式または実行可能な形式のファイルでＣＤ−ＲＯＭや、ＦＤ、ＣＤ−Ｒ、ＤＶＤ等の、コンピュータで読み取り可能な記録媒体に記録されて提供されうる。また、プログラムは、通信ネットワークに接続されたコンピュータの記憶部に記憶し、ネットワーク経由でダウンロードすることによって導入されうる。また、プログラムは、ＲＯＭ等に予め組み込まれてもよい。
【００３４】
記憶部（図示されず）は、制御部７１の演算で用いられる各種データを記憶する。記憶部は、例えば、ＲＡＭや、ＲＯＭ、ＨＤＤ、ＳＳＤ等である。また、通信部７３は、当該ゲート装置７以外の装置（例えば、中央装置８や他のゲート装置７等）との間で、有線または無線によるデータの授受（通信）を実行する。
【００３５】
また、ゲート装置７は、タグ通信部７２を備えている。タグ通信部７２は、ゲート２に設けられた送受信装置５を介して、車両３に設けられた無線タグ４との間で、無線によるデータの授受（通信）を実行する。
【００３６】
また、ゲート装置７は、不揮発性の書き換え可能な情報記憶部（例えば、ＨＤＤや、ＳＳＤ、サーバの記憶装置等）として、処理情報記憶部７４を備えている。処理情報記憶部７４は、タグＩＤや、当該タグＩＤが取得された場合に処理実行部７１ｆ（例えば、アクチュエータ７８や、出力部７９等）で実行される処理を示す情報（処理情報）、処理の実行状況（未処理、実行済み等のステータス）を示す情報等を、互いに対応付けて記憶する。これらタグＩＤならびに当該タグＩＤと対応した情報は、中央装置８から送られる。処理情報記憶部７４は、第二の記憶部の一例である。
【００３７】
また、本実施形態のゲート装置７は、アクチュエータ７８ならびに出力部７９を備えている。アクチュエータ７８は、遮断機６のアーム６ａ（可動部、棒、遮断桿）を、車両３の通行を拒否する（遮る）閉位置と車両３の通行を許容する（遮らない）開位置との間で移動する。アクチュエータ７８は、例えばモータや、シリンダユニット等である。
【００３８】
出力部７９は、例えば、表示出力部や、音声出力部等である。表示出力部は、例えば、ディスプレイ（ＬＣＤ（liquid  crystal  display）、ＯＥＬＤ（organic  electro-luminescent  display）等）や、電光掲示板、回転灯等である。音声出力部は、例えば、スピーカや、ブザー等である。ここで、アクチュエータ７８及び出力部７９は、どちらか一方のみがゲート装置７に備わっている構成も可能である。
【００３９】
次に、図４を参照しながら、ゲート装置７の制御部７１が実行する処理の手順の一例が説明される。図４の処理の手順は、入口のゲート２ａ、出口のゲート２ｂ、通過するゲート２のいずれに対応したゲート装置７にも適用されうる。まず、制御部７のタグＩＤ取得部７１ｄ（識別情報取得部）は、タグ通信部７２が送受信装置５を介して無線タグ４から受信した信号（データ）から、タグＩＤを取得する（Ｓ１０）。次に、制御部７１の第二の判断部７１ｅは、タグＩＤ取得部７１ｄが取得したタグＩＤが、処理情報記憶部７４に記憶されているか否かを判断する（Ｓ１１）。タグＩＤ取得部７１ｄが取得したタグＩＤが、処理情報記憶部７４に記憶されていなかった場合（Ｓ１１でＮｏ）、制御部７１の送信制御部７１ｂ（第三の送信制御部）は、Ｓ１０でタグＩＤ取得部７１ｄが取得したタグＩＤとゲートＩＤとを対応付けた状態で中央装置８に送信するよう、タグ通信部７２を制御する（Ｓ１２）。
【００４０】
一方、タグＩＤ取得部７１ｄが取得したタグＩＤが、処理情報記憶部７４に記憶されていた場合、制御部７１の処理実行部７１ｆ（処理実行制御部）は、タグＩＤに対応付けて処理情報記憶部７４に記憶されている処理情報（処理内容を示すデータ）を取得し、当該処理が実行されるよう、コントローラ７６，７７、ひいてはアクチュエータ７８、出力部７９を制御する（Ｓ１３）。このとき実行される処理としては、アクチュエータ７８によって遮断機６のアーム６ａを閉位置に移動させる処理や、出力部７９としての表示出力部から警告表示を出力する処理、出力部７９としての音声出力部から警告音を出力する処理等がある。警告表示としては、例えば、「残高が○○○円不足していますので、通行できません。」や、「○○○○円の未払い金があります。支払いを行ってください。」などがある。また、車両３のゲート２の通過が拒否（阻止、抑制）される。次いで、制御部７１の送信制御部７１ｂは、中央装置８に向けて、所定のタイミングで、例えば、中央装置８からの送信要求に応じて、処理が実行された車両３のタグＩＤと、当該処理の実行状況を示す情報（処理が完了したか否かを示す情報）とを対応付けて送信する（Ｓ１４）。このＳ１４で送信された情報に基づいて、中央装置８は、処理対象タグ情報記憶部８８に記憶されている情報を更新することができる。
【００４１】
また、図４には示されないが、制御部７１の受信制御部７１ａは、中央装置８から通信部７３が受信した信号（データ）から、ゲート装置７に向けたデータを受け取る（取得する、抽出する）ことができる。ゲート装置７に向けたデータは、例えば、送信先を示すゲート２のＩＤ（またはゲート装置７のＩＤ）や、無線タグ４のタグＩＤ、タグＩＤに対応した処理内容を示す情報（処理情報）等である。また、制御部７１の記憶制御部７１ｃは、取得したタグＩＤならびに当該タグＩＤに対応した処理情報を、処理情報記憶部７４に記憶させることができる。
【００４２】
次に、図５を参照しながら、中央装置８の制御部８１が実行する処理の手順の一例が説明される。なお、以下では、有料道路の入口と出口のそれぞれ（または、入口あるいは出口に対応する位置）にゲート２（ゲート装置７）が設けられている場合が例示される。まず、制御部８１の受信制御部８１ａは、通信部８２がゲート装置７から受信した信号（データ）から、タグＩＤと当該タグＩＤに対応したゲートＩＤとを受け取る（Ｓ２０）。次に、制御部８１の第一の判断部８１ｄは、通行中タグＩＤ記憶部８７を参照して、受信制御部８１ａで取得されたタグＩＤが当該通行中タグＩＤ記憶部８７に記憶されているか否か、すなわち、当該タグＩＤの無線タグ４が装着された車両３が有料道路を通行中であるか否か、を判断する（Ｓ２１）。
【００４３】
＜車両が入口のゲートを通過した後の処理＞
受信制御部８１ａで取得されたタグＩＤが通行中タグＩＤ記憶部８７に記憶されていなかった場合（Ｓ２１でＮｏ）、当該タグＩＤの無線タグ４が装着された車両３は有料道路を通行中ではなく、有料道路の入口のゲート２を通過したことになる。この場合、制御部８１は、タグＩＤを、通行中タグＩＤ記憶部８７に書き込む（記憶する、追加する、Ｓ２２）。次に、制御部８１の予想残高算出部８１ｈは、受信制御部８１ａで取得されたゲートＩＤに対応するゲート２が入口である場合に、出口のゲート２となりうる他のゲート２のそれぞれについて、予想残高を算出する（Ｓ２３）。このとき、予想残高算出部８１ｈは、タグ情報記憶部８３からタグＩＤの残高を取得するとともに、通行料金記憶部８５を参照して出口となりうる他のゲート２のそれぞれについて通行料金を取得し、残高から通行料金を減じて、出口となりうる他のゲート２のそれぞれに対応した（出口のゲート２毎の）予想残高を算出する。次に、制御部８１のゲートＩＤ選択部８１ｉ（第二の識別情報特定部）は、出口となりうる他のゲート２のそれぞれの予想残高と閾値（第二の閾値）とを比較する（Ｓ２４）。予算残高算出部８１ｈで算出された予想残高のうち閾値と同じかあるいはより少ないゲート２があった場合、すなわち、予想残高が閾値と同じかあるいはより少ないゲート２のゲートＩＤが特定された場合（Ｓ２４でＹｅｓ）、制御部８１の処理情報取得部８１ｊは、閾値（第二の閾値）と同じかあるいはより少ない予想残高となるゲート２（またはゲート装置７）での処理内容を示す情報を取得する（Ｓ２５）。このとき、処理情報取得部８１ｊは、例えば、予算残高算出部８１ｈで算出された予想残高等の情報を含めて走行車両への処理実行時（図４のＳ１３）に表示出力される情報を作成することができる。また、処理情報取得部８１ｊは、例えば、ＲＯＭやＨＤＤ等に予め記憶されている処理情報を取得することができる。次に、制御部８１の記憶制御部８１ｃは、送信先のゲートＩＤ、タグＩＤ、ならびに処理情報を、互いに対応付けて、送信情報記憶部８６に記憶させる（Ｓ２６）。次に、制御部８１の送信制御部８１ｂ（第二の送信制御部）は、所定のタイミングで、通信部８２が、閾値（第二の閾値）と同じかあるいはより少ない予想残高となるゲート２（またはゲート装置７）に向けて、タグＩＤと当該タグＩＤに対応した出口のゲート２での処理内容を示す情報とを送信するよう、当該通信部８２を制御する（Ｓ２７）。なお、予算残高算出部８１ｈで算出された予想残高のうち閾値と同じかあるいはより少ないゲート２がなかった場合、図５の一連の処理は終了する。
【００４４】
＜車両が出口のゲートを通過した後の処理＞
一方、受信制御部８１ａで取得されたタグＩＤが、通行中タグＩＤ記憶部８７に記憶されていた場合（Ｓ２１でＹｅｓ）、当該タグＩＤの無線タグ４が装着された車両３は有料道路を通行して、有料道路の出口のゲート２を通過したことになる。この場合、制御部８１の通行料金取得部８１ｆは、当該タグＩＤの車両３の通行料金を取得する（算出する、Ｓ２８）。このとき、通行料金取得部８１ｆは、通行料金記憶部８５を参照して、通行中タグＩＤ記憶部８７に記憶されていたタグＩＤに対応したゲートＩＤ（すなわち、入口のゲート２のゲートＩＤ）と、受信制御部８１ａで受信した信号（データ）に含まれていたタグＩＤに対応したゲートＩＤ（すなわち、出口のゲート２のゲートＩＤ）とに対応した通行料金を取得する。次に、制御部８１の残高更新部８１ｇは、タグＩＤの残高を更新する（Ｓ２９）。このとき、残高更新部８１ｇは、タグ情報記憶部８３からタグＩＤの残高を取得し、当該残高（旧残高、更新前の残高）から通行料金取得部８１ｆで取得された通行料金を減じた残高（新残高、更新後の残高）を算出して、当該残高をタグＩＤに対応付けてタグ情報記憶部８３に書き込んで更新する（上書きする）。
【００４５】
次に、制御部８１のタグＩＤ特定部８１ｅ（第一の識別情報特定部）は、残高更新部８１ｇで更新された残高と閾値（第一の閾値）とを比較する（Ｓ３０）。このとき、更新された残高が閾値（第一の閾値）と同じかあるいはより少なかった場合、すなわち、更新された残高が閾値（第一の閾値）と同じかあるいはより少ないタグＩＤが特定された場合（Ｓ３０でＹｅｓ）、制御部８１の処理情報取得部８１ｊは、処理情報を取得する（Ｓ２５）。このとき、処理情報取得部８１ｊは、例えば、残高更新部８１ｇで更新された残高等の情報を含めて、走行車両への処理実行時（図４のＳ１３）に表示出力される情報を作成することができる。また、処理情報取得部８１ｊは、例えば、ＲＯＭやＨＤＤ等に予め記憶されている処理情報を取得することができる。次に、制御部８１の記憶制御部８１ｃは、送信先のゲートＩＤ、タグＩＤ、ならびに処理情報を、互いに対応付けて、送信情報記憶部８６に記憶させる（Ｓ２６）。送信情報記憶部８６で記憶した送信先のゲートＩＤは、車両３の次の入口となるゲート２（ゲート装置７）のゲートＩＤである。この場合の送信先のゲートＩＤは、上述したように、出口のゲート２からの距離が所定の距離（例えば、１００ｋｍ）以内に存在する入口のゲート２のゲートＩＤであることができる。出口のゲート２のゲートＩＤに対応した送信先のゲートＩＤは、送信先記憶部８４に記憶されている。次に、制御部８１の送信制御部８１ｂ（第一の送信制御部）は、通信部８２が、入口のゲート２（ゲート装置７）に向けて、タグＩＤと当該タグＩＤに対応した入口のゲート２での処理内容を示す情報（処理情報）とを送信するよう、当該通信部８２を制御する（Ｓ２７）。なお、更新された残高が閾値（第一の閾値）よりも大きかった場合、すなわち、更新された残高が閾値（第一の閾値）と同じかあるいはより少ないタグＩＤが特定されなかった場合、図５の一連の処理は終了する。
【００４６】
以上、説明したように、本実施形態では、一例として、タグＩＤを記憶する無線タグ４による料金収受システム１は、タグＩＤ取得部７１ｄ（識別情報取得部）と、タグ情報記憶部８３（第一の記憶部）と、タグＩＤ特定部８１ｅ（第一の識別情報特定部）と、処理情報記憶部７４（第二の記憶部）と、処理実行部７１ｆと、を備える。タグＩＤ取得部７１ｄは、各ゲート２に対応して設けられ、車両３に設けられた無線タグ４との通信により当該無線タグ４のタグＩＤ（第一の識別情報）を取得する。タグ情報記憶部８３は、無線タグ４とは別に設けられ、タグＩＤに対応した残高を記憶する。タグＩＤ特定部８１ｅは、処理情報記憶部７４を参照することによりタグＩＤ取得部７１ｄで取得されたタグＩＤに対応して得られた残高と、第一の閾値と、を比較して、残高が第一の閾値と同じかあるいはより少ないタグＩＤを特定する。処理情報記憶部７４は、各ゲート２に対応して設けられ、タグＩＤ特定部８１ｅで特定されたタグＩＤを記憶する。よって、本実施形態によれば、出口のゲート２の後に次に到来した入口のゲート２、あるいは入口のゲート２を通過した後の出口のゲート２で、通行料金の徴収の可否の状況に応じた車両３のゲート２の通過の許否（許容あるいは拒否）を制御することができる。よって、本実施形態によれば、一例としては、通行履歴等を記憶しない無線タグ４を用いた料金収受システム１を得ることができる。また、本実施形態では、一例として、所定の処理は車両３が次のゲート２を通過する際に行われるので、ＩＤや情報（を示すデータ）を直ちに送信する必要が無く、ネットワーク負荷の増大が抑制されやすい。
【００４７】
また、本実施形態では、一例として、料金収受システム１は、送信先記憶部８４（第三の記憶部）と、送信制御部８１ｂ（第一の送信制御部）と、をさらに備える。送信先記憶部８４は、各ゲート２のゲートＩＤ（第二の識別情報）に対応してタグＩＤの送信先となる他のゲート２のゲートＩＤを記憶する。送信制御部８１ｂは、タグＩＤ特定部８１ｅで特定されたタグＩＤが取得されたゲート２のゲートＩＤに対応して送信先記憶部８４に記憶されたゲートＩＤのゲート２に、当該特定されたタグＩＤを送信するよう制御する。よって、本実施形態によれば、一例としては、送信制御部８１ｂは、送信先となるゲート２に、より迅速にあるいはより確実に、特定されたタグＩＤを送信することができる。
【００４８】
また、本実施形態では、一例として、送信先記憶部８４は、タグＩＤが取得された出口のゲート２のゲートＩＤに対応してタグＩＤの送信先となる入口のゲート２のゲートＩＤを記憶する。よって、本実施形態によれば、一例としては、送信先となる入口のゲート２に、より迅速にあるいはより確実に、特定されたタグＩＤを送信することができる。
【００４９】
また、本実施形態では、一例として、送信先記憶部８４は、出口のゲート２のゲートＩＤに対応して当該出口のゲート２からの距離が所定距離以内にある入口のゲート２のゲートＩＤを記憶する。よって、本実施形態によれば、一例としては、特定されたタグＩＤの送信先を限定することができる。よって、一例としては、タグＩＤの送信に伴うデータの通信量が増大するのが抑制されやすい。
【００５０】
また、本実施形態では、一例として、送信先記憶部８４は、タグＩＤが取得された入口のゲート２のゲートＩＤに対応してタグＩＤの送信先となる出口のゲート２のゲートＩＤを記憶する。よって、本実施形態によれば、一例としては、送信先となる出口のゲート２に、より迅速にあるいはより確実に、特定されたタグＩＤを送信することができる。
【００５１】
また、本実施形態では、一例として、料金収受システム１は、通行料金記憶部８５（第四の記憶部）と、通行料金取得部８１ｆと、残高更新部８１ｇと、をさらに備える。通行料金記憶部８５は、ゲートＩＤに対応した通行料金を記憶する。通行料金取得部８１ｆは、通行料金記憶部８５を参照してタグＩＤ取得部７１ｄで取得されたタグＩＤに対応した一つまたは複数のゲートＩＤに基づいて通行料金を取得する。残高更新部８１ｇは、タグ情報記憶部８３に記憶された残高から通行料金取得部８１ｆで取得された通行料金を減算してタグ情報記憶部８３に記憶された残高を更新する。タグＩＤ特定部８１ｅは、残高更新部８１ｇで更新されタグ情報記憶部８３に記憶された残高に基づいてタグＩＤを特定する。よって、本実施形態によれば、一例としては、通行料金の徴収の可否の新しい状況に応じて、車両３のゲート２の通過の許否を制御することができる。
【００５２】
また、本実施形態では、一例として、料金収受システム１は、通行料金記憶部８５と、予想残高算出部８１ｈと、ゲートＩＤ選択部８１ｉ（第二の識別情報特定部）と、送信制御部８１ｂ（第二の送信制御部）と、をさらに備える。通行料金記憶部８５は、ゲートＩＤに対応した通行料金を記憶する。予想残高算出部８１ｈは、通行料金記憶部８５を参照して、タグＩＤが取得された入口のゲート２に対応した出口のゲート２毎の予想残高を算出する。ゲートＩＤ選択部８１ｉは、予想残高算出部８１ｈで算出された予想残高と第二の閾値とを比較して、予想残高が対応する第二の閾値と同じかより少ない出口のゲート２のゲートＩＤを特定する。送信制御部８１ｂは、タグＩＤ特定部８１ｅで特定されたタグＩＤを、ゲートＩＤ選択部８１ｉで特定されたゲートＩＤのゲート２に送信するよう制御する。よって、本実施形態によれば、一例としては、入口のゲート２に対応した出口となりうるゲート２毎に予め算出された通行料金の徴収の可否（の予測）に応じて、車両３のゲート２の通過の許否を制御することができる。よって、一例としては、特定されたタグＩＤが無駄に送信されるのが抑制されやすい。また、全通行明細を全料金所に配信する方法に比べ、残高不足が発生した場合の少量データに限定されるため、ネットワークの負荷を軽減できる。
【００５３】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。例えば、上記実施形態の料金収受システム１は、ゲート２が一つの（入口と出口とが共用されている）有料道路にも適用することができる。また、その場合には、ゲート２（ゲート装置７）と中央装置８とが一体的に構成されうる。また、相異なる中央装置８で管轄されている複数の有料道路が互いに接続されている場合、中央装置８間でタグＩＤや、ゲートＩＤ、処理情報を授受（通信）することで、上記実施形態と同様の制御を実現することができる。
【符号の説明】
【００５４】
１…料金収受システム、２…ゲート、３…車両、４…無線タグ、７１ｂ…送信制御部（第三の送信制御部）、７１ｄ…タグＩＤ取得部（識別情報取得部）、７１ｆ…処理実行部、７４…処理情報記憶部（第二の記憶部）、８１ａ…受信制御部、８１ｂ…送信制御部（第一の送信制御部、第二の送信制御部）、８１ｅ…タグＩＤ特定部（第一の識別情報特定部）、８１ｆ…通行料金取得部、８１ｇ…残高更新部、８１ｈ…予想残高算出部、８１ｉ…ゲートＩＤ選択部（第二の識別情報特定部）、８３…タグ情報記憶部（第一の記憶部）、８４…送信先記憶部（第三の記憶部）、８５…通行料金記憶部（第四の記憶部）。
【図１】
0005931835.tif 000002
【図２】
0005931835.tif 000003
【図３】
0005931835.tif 000004
【図４】
0005931835.tif 000005
【図５】
0005931835.tif 000006